(57)【要約】【課題】原稿台ガラスに載置された原稿をカバーする原稿台カバーが開状態にあり原稿に強い外光が照射されている場合、外光の影響を軽減することである。【解決手段】まず、読取手段を原稿が載置された位置に移動させ、その位置において光源を消灯し読取手段を動作させて黒シェーディング補正を実行する。次に、その実行された黒シェーディング補正により取得された読取手段の読取素子の配置方向に関して輝度値にばらつきがあるかどうかを判断する。その輝度値にばらつきがあると判断された場合には、読取手段を白色部材が設けられた位置に移動させ、その位置において光源を消灯し読取手段を動作させて黒シェーディング補正を実行する。【選択図】  図４
2016001804.tif 000002
【特許請求の範囲】
【請求項１】
光源から原稿台に載置された原稿に光を照射し、前記原稿からの反射光に基づいて前記原稿の画像を読取る読取手段と、
前記読取手段を移動させる移動手段と、
前記移動手段にて前記原稿が載置されている位置に前記読取手段を移動させ、該原稿が載置されている位置において、前記光源を消灯し、前記読取手段によって読取情報を取得する第１の取得手段と、
前記第１の取得手段によって得られた前記読取情報に基づいて、前記読取手段にて読み取った原稿画像を補正する第１の補正を実行する第１の補正手段とを有することを特徴とする画像読取装置。
【請求項２】
前記第１の取得手段は、前記読取手段によって読み取る読取情報から黒基準値を取得し、
前記第１の補正手段は、前記第１の取得手段によって取得した黒基準値に基づいて前記読取手段にて読み取る原稿画像のシェーディング補正をすることを特徴とする請求項１に記載の画像形成装置。
【請求項３】
前記読取手段は、前記移動手段の移動方向と直交する方向に配置され、前記原稿からの反射光を読み取る複数の読取素子を有し、
前記移動手段により前記読取手段を前記第１の取得手段が読取情報を取得する位置よりも外光の影響が少ない位置に移動させ、該位置において前記光源を消灯し前記読取手段によって読取情報を取得する第２の取得手段と、
前記第２の取得手段によって得られた前記読取情報に基づいて、前記読取手段にて読み取った原稿画像を補正する第２の補正手段と、
前記第１の取得手段により取得された第１の読取情報から、前記複数の読取素子が配置されている方向に関する輝度値のばらつきが所定以上か否かを判定する判定手段と、
前記判定手段により前記輝度値のばらつきが所定以上であると判定された場合、前記第２の補正手段にて第２の補正を実行するよう制御する制御手段とをさらに有することを特徴とする請求項１又は２に記載の画像読取装置。
【請求項４】
前記読取手段による読取が可能であって、前記第１の取得手段が読み取り情報を取得する位置とは異なる位置に設けられた基準部材をさらに有し、
前記第２の取得手段によって読取情報を取得する位置は、前記基準部材が設けられた位置であることを特徴とする請求項３に記載の画像読取装置。
【請求項５】
前記制御手段は、前記判定手段が前記予め定められた方向に関して前記読取手段にて読み取った前記原稿の端部に対応する位置において前記輝度値のばらつきが所定以上であると判定した場合には、前記第２の補正手段の実行を抑止するよう制御することを特徴とする請求項３に記載の画像読取装置。
【請求項６】
前記第１の補正手段、又は、前記第２の補正手段による補正の実行の後、前記基準部材が設けられた位置において前記光源を点灯し前記読取手段を動作させて白基準値を取得し、該白基準値に基づいて前記読取手段にて読み取る原稿画像の補正を実行する第３の補正手段をさらに有することを特徴とする請求項１乃至５のいずれか１項に記載の画像読取装置。
【請求項７】
前記原稿が第１のタイプの原稿であるか、又は、第２のタイプの原稿であるかを設定する設定手段をさらに有し、
前記制御手段はさらに、前記設定手段により前記原稿が前記第１のタイプであると設定されている場合には、前記第１の補正手段を実行し、前記設定手段により前記原稿が前記第２のタイプであると設定されている場合には、前記第２の補正手段を実行するよう制御することを特徴とする請求項３乃至６のいずれか１項に記載の画像読取装置。
【請求項８】
前記原稿台に原稿を載置する場合に開閉可能であって、閉状態となることで前記原稿台上の原稿を押圧可能な開閉手段と、
前記開閉手段の開閉状態を検知する検知手段とをさらに有し、
前記制御手段は、前記検知手段により前記開閉手段が開状態にあることが検知された場合であって、かつ前記設定手段により前記原稿を前記第１のタイプであると指定した場合には、前記第１の補正手段を実行するよう制御することを特徴とする請求項７に記載の画像読取装置。
【請求項９】
前記制御手段は、前記検知手段により前記開閉手段が閉状態にあることが検知された場合には、前記第２の補正手段を実行するよう制御することを特徴とする請求項８に記載の画像読取装置。
【請求項１０】
前記第１のタイプの原稿は文字原稿であり、
前記第２のタイプの原稿は写真原稿であることを特徴とする請求項７乃至９のいずれか１項に記載の画像読取装置。
【請求項１１】
前記判定手段は、前記複数の読取素子の配置されている方向に関して複数の領域に分割し、前記複数の領域それぞれについて前記輝度値のばらつきがあるかどうかを判定し、
前記制御手段は、前記判定手段の判定に従って、前記複数の領域それぞれについて前記第１の補正、又は、前記第２の補正を実行するよう制御することを特徴とする請求項３乃至１０のいずれか１項に記載の画像読取装置。
【請求項１２】
光源から原稿台に載置された原稿に光を照射し、前記原稿からの反射光に基づいて前記原稿の画像を予め定められた方向に配置された複数の読取素子により読取る読取手段と、前記読取手段を前記予め定められた方向とは直角の方向に移動させる移動手段と、前記読取手段による読取が可能な位置に設けられた白色部材を備えた画像読取装置のシェーディング補正方法であって、
前記移動手段により前記読取手段を前記原稿が載置された位置に移動させ、該位置において前記光源を消灯し前記読取手段を動作させて黒シェーディング補正を実行する第１のシェーディング補正工程と、
前記第１のシェーディング補正工程において実行された黒シェーディング補正により取得された前記予め定められた方向に関して輝度値にばらつきがあるかどうかを判断する判断工程と、
前記判断工程において前記輝度値にばらつきがあると判断された場合には、前記移動手段により前記読取手段を前記白色部材が設けられた位置に移動させ、該位置において前記光源を消灯し前記読取手段を動作させて黒シェーディング補正を実行する第２のシェーディング補正工程とを有することを特徴とするシェーディング補正方法。
【発明の詳細な説明】
【技術分野】
【０００１】
本発明は画像読取装置及びシェーディング補正方法に関し、特に、例えば、コンタクトガラス上に置かれた画像原稿にシェーディング補正を行って光学的に読み取る画像読取装置及びシェーディング補正方法に関する。
【背景技術】
【０００２】
従来より、原稿台ガラスに載置された原稿に光源からの光を照射し、その原稿に反射された反射光に基づいて原稿の画像を読み取る画像読取装置が用いられている。このような画像読取装置では、原稿の周辺に装置外部からの光（外光）が入射すると、原稿による反射光の検出結果に影響が及ぶ。例えば、書籍などを見開いて原稿台ガラスに載置した場合など、原稿台カバーが閉められない場合や、原稿台ガラス上の原稿を入れ替えながら連続して読取をしている場合など原稿台カバーが開状態のままで読取をしてしまう場合に画像読取部に外光が侵入する。その結果、読取画像が明るくなってしまい、読取品質が低下する。
【０００３】
また、従来の画像読取装置では画像読取前に画像読取部の黒基準値を取得するための黒シェーディング補正を行っており、黒シェーディング補正位置に外光が入射すると、黒基準値の検出結果に影響が及ぶ。例えば、特許文献１では、読取前に取得した黒基準値・白基準値の差から外光の有無を検知し、外光有りと判断された場合は、外光の影響を受けない箇所へシェーディング位置を移動し、再度黒シェーディング補正を実行することが提案されている。
【先行技術文献】
【特許文献】
【０００４】
【特許文献１】特開２０１１−０２４７３４号公報
【発明の概要】
【発明が解決しようとする課題】
【０００５】
特許文献１では、外光の影響を受けない箇所で再度黒シェーディング補正を実行し黒基準値から外光の影響を除去している。
【０００６】
しかしながら特許文献１での処理は画像読取前に取得した黒基準値から外光を除去するものであり、画像読取時の外光の影響を除去するものではないため、画像読取時に外光の影響がある場合は読取画像が明るくなってしまうという問題がある。
【０００７】
本発明は上記従来例に鑑みてなされたもので、画像読取時における外光の影響を軽減することが可能にする画像読取装置及びシェーディング補正方法を提供することを目的としている。
【課題を解決するための手段】
【０００８】
上記目的を達成するために本発明の画像読取装置は次のような構成からなる。
【０００９】
即ち、光源から原稿台に載置された原稿に光を照射し、前記原稿からの反射光に基づいて前記原稿の画像を読取る読取手段と、前記読取手段を移動させる移動手段と、前記移動手段にて前記原稿が載置されている位置に前記読取手段を移動させ、該原稿が載置されている位置において、前記光源を消灯し、前記読取手段によって読取情報を取得する第１の取得手段と、前記第１の取得手段によって得られた前記読取情報に基づいて、前記読取手段にて読み取った原稿画像を補正する第１の補正を実行する第１の補正手段とを有することを特徴とすることを特徴とする。
【００１０】
また本発明を別の側面から見れば、光源から原稿台に載置された原稿に光を照射し、前記原稿からの反射光に基づいて前記原稿の画像を予め定められた方向に配置された複数の読取素子により読取る読取手段と、前記読取手段を前記予め定められた方向とは直角の方向に移動させる移動手段と、前記読取手段による読取が可能な位置に設けられた白色部材を備えた画像読取装置のシェーディング補正方法であって、前記移動手段により前記読取手段を前記原稿が載置された位置に移動させ、該位置において前記光源を消灯し前記読取手段を動作させて黒シェーディング補正を実行する第１のシェーディング補正工程と、前記第１のシェーディング補正工程において実行された黒シェーディング補正により取得された前記予め定められた方向に関して輝度値にばらつきがあるかどうかを判断する判断工程と、前記判断工程において前記輝度値にばらつきがあると判断された場合には、前記移動手段により前記読取手段を前記白色部材が設けられた位置に移動させ、該位置において前記光源を消灯し前記読取手段を動作させて黒シェーディング補正を実行する第２のシェーディング補正工程とを有することを特徴とするシェーディング補正方法を備える。
【発明の効果】
【００１１】
従って本発明によれば、画像原稿読取前に原稿台に載置された原稿に関し適切な位置において黒シェーディング補正を実施するので、たとえ原稿台に外光が照射されても、その外光の影響を軽減した良好な画像読取を行うことができるという効果がある。
【図面の簡単な説明】
【００１２】
【図１】本発明の代表的な実施例である画像読取部を備える複写機の外観斜視図である。
【図２】図１に示した画像読取部（スキャナ部）１の構成を示すために上方より眺めた図である。
【図３】画像読取部１の内部構成を示すブロック図である。
【図４】シェーディング補正の概要を示すフローチャートである。
【図５】実施例１に従う外光補正処理を示すフローチャートである。
【図６】取得した黒基準値の輝度の主走査方向に関する変化を示す図である。
【図７】実施例２に従う外光補正処理を示すフローチャートである。
【発明を実施するための形態】
【００１３】
以下添付図面を参照して本発明の好適な実施例について、さらに具体的かつ詳細に説明する。
【００１４】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
＜画像読取装置の概要（図１〜図３）＞
図１は本発明の代表的な実施例である複写機の外観斜視図である。
【００１７】
この複写機は、装置の上部に光学的に原稿の画像を読取る画像読取部１を備え、装置の下部に画像形成部２を備えている。画像形成部２は、画像読取部１により読み取った画像データや画像形成部２に接続されたパーソナルコンピュータなどの外部装置から転送された画像データに基づいて画像形成を行う。具体的には、装置内部に備えたカセット内のシートや手差しで挿入するシート等に上述の画像データに基づいて電子写真方式に従って画像を形成し、シート上の記録媒体に画像を定着して出力する。なお、画像読取部（スキャナ部）１により読み取った画像データを接続された外部装置に転送できるようにしても良い。また、画像読取りに関する指示などは操作パネル３より行う。
【００１８】
また、画像読取部１の上部には載置した（複数の）原稿を自動的に画像読取部へと搬送フィードする自動搬送部（ＡＤＦ）４が備えられている。
【００１９】
図２は図１に示した画像読取部（スキャナ部）１の構成を示すために自動搬送部（ＡＤＦ）４を除いて上方より眺めた図である。
【００２０】
画像読取部１は、原稿が置かれるか、又は、自動搬送部（ＡＤＦ）４により自動搬送される原稿が送り込まれるコンタクトガラス５を備える。図２に示される２本の二点鎖線の間にあって、画像読取部１の内部には白色部材としての基準白色板が設けられる。また、コンタクトガラス５において、２本の二点鎖線の右側が原稿が置かれるコンタクトガラスの部分で、２本の二点鎖線の左側が自動搬送部４によって原稿が自動的に送り込まれるコンタクトガラスの部分である。
【００２１】
なお、その白板は主走査方向（Ａ方向）に長辺をもち、副走査方向（Ｂ方向）に短辺をもつ矩形形状をしており、概ねその短辺が副走査方向に平行にそしてその長辺が主走査方向に平行になるように取り付けられる。
【００２２】
また、画像読取部１内（原稿の載置側と反対側部分）には、図２に示されるように、原稿を読み取るイメージセンサ６と、イメージセンサ６を駆動する駆動部７とが配置されている。イメージセンサ６はコンタクトガラス上に載置された原稿を読取るため、光源である複数のＬＥＤ６ａをＡ方向（主走査方向）に沿って並べて配置している。そして、ＬＥＤ６ａから原稿に光を照射し、原稿による反射光を複数のミラーや集光レンズを介してＣＣＤなどの主走査方向に配置された複数の光電変換素子（読取素子）により受光した光（輝度値）を電気信号に変換することにより、原稿の画像を読取る。また、イメージセンサ６は、このような構造に限定されず、従来から知られている各種構造を採用可能である。
【００２３】
また、駆動部７はイメージセンサ６をＢ方向（副走査方向）に移動させるために用いられ、モータ７ａとベルト７ｂと１対のガイドレール７ｃとを備える。ガイドレール７ｃは主走査方向と直角な方向である副走査方向に沿って配置されている。このため、イメージセンサ６は、モータ７ａの駆動によりベルト７ｂを介しガイドレール７ｃに沿って副走査方向に往復移動可能となっている。
【００２４】
図３は画像読取部１の内部構成を示すブロック図である。
【００２５】
図３に示すように、画像読取部１はＣＰＵ１０１とＲＡＭ１０２とＲＯＭ１０３と通信Ｉ／Ｆ１０４と操作パネル３とイメージセンサ６とモータ制御部１０９と画像メモリ１１０と不揮発性メモリ（ＮＶＲＡＭ）１１１とを有する。
【００２６】
ＣＰＵ１０１は装置全体の動作を制御する。ＲＡＭ１０２はＣＰＵ１０１の作業領域及びデータの一時記憶領域である。ＲＯＭ１０３は画像読取部１を駆動するためのファームウェアプログラムやファームウェアプログラムを制御するためのブートプログラムが書き込まれＣＰＵ１０１によって使用される。
【００２７】
通信Ｉ／Ｆ（インタフェース）１０４は外部のコンピュータ等と接続し、これを介して画像データの転送などを行う。操作パネル３はユーザが画像読取部１の各種設定を行ったり、その確認を行ったりするのに用いられる。ＮＶＲＡＭ１１１はその各種設定を格納する。
【００２８】
イメージセンサ６はＣＣＤなどの読取センサとＬＥＤから構成され、原稿や基準白色板を読み取って画像データを取得する。画像メモリ１１０はイメージセンサ６で読取った画像から得られた画像データを記録する。モータ制御部１０９はイメージセンサ６を副走査方向に走査させる。システムバス１０７はＣＰＵ１０１と他の構成要素それぞれとを接続する。
【００２９】
次に上記構成の画像読取部１が実行する外光補正処理のいくつかの実施例について説明する。
【実施例１】
【００３０】
図４はシェーディング補正の概要を示すフローチャートである。
【００３１】
この処理は、ＣＰＵ１０１がＲＯＭ１０３に格納されているプログラムを実行することによりなされる。
【００３２】
まず、ステップＳ４０１ではユーザからの画像読取開始の指定を待ち合わせており、その指定がなされると、処理はステップＳ４０２で原稿台カバー（或いは、ＡＤＦ）の開閉状態を調べる。これは、画像読取部１に設けられたその開閉状態を検知するセンサ（不図示）から出力される検知信号をＣＰＵ１０１が調べることにより判断する。ここで、原稿台カバーが閉状態であると判断されれば、画像読取に外光による影響は無しとし、処理はステップＳ４０３に進み、従来通り基準白色板下で光源を消灯して黒シェーディング補正（第２のシェーディング補正）を実行する。
【００３３】
これに対して、原稿台カバーが開状態であると判断されれば、処理はステップＳ４０４に進み、読取原稿の種類を設定する原稿モードの設定状態に従って処理を切り替える。即ち、原稿モードに文字原稿（第１のタイプ）が設定されている場合、処理はステップＳ４０７に進み、外光補正処理（後述）を実行して外光による影響を補正する。その後、ステップＳ４０８では基準白色板下で光源を点灯して白シェーディング補正（第３のシェーディング補正）を実行する。
【００３４】
これに対して、原稿モードに写真原稿（第２のタイプ）が設定されている場合、処理はステップＳ４０５に進み、ユーザへ原稿モードを再度確認するメッセージを操作パネル３のディスプレイに表示する。さらに、ステップＳ４０６ではユーザからの再確認入力を待ち合わせる。ここで、ユーザが原稿モードとして文字原稿を指定した場合、処理はステップＳ４０７に進んで、外光補正処理を実行して外光による影響を補正する。これに対して、写真原稿であることが再確認された場合、処理はステップＳ４０３に進んで、従来のように基準白色板下で光源を消灯して黒シェーディング補正を実行する。その後、処理はステップＳ４０８へと進む。
【００３５】
ステップＳ４０８での光源を点灯して白シェーディング補正の後、ステップＳ４０９では、イメージセンサ６を走査して画像読取を行う。
【００３６】
さて、ステップＳ４０４とステップＳ４０６において原稿モードが写真原稿であることが確認された場合、外光補正処理を実行しない理由は、写真原稿の主走査方向に関する位置によって濃度（光の透過率）がばらつくことにある。例えば、このばらつきは、白黒の２値で表現されるような文字原稿の場合、原稿の透過率は一様であることが想定されるため黒基準値にばらつきが発生しない。しかし、各画素が多値（例えば、各色成分各画素８ビット）で表現されるような写真原稿の場合、主走査方向の位置によって画像濃度がばらつくので、黒基準値も主走査方向の位置によってばらついてしまう。
【００３７】
一方、この実施例において後述する外光補正処理では外光の影響を受ける原稿の下で黒基準値を取得することで、黒基準値が高く設定されて外光による影響の分だけ読取画像が暗くなるように処理している。これは、この黒基準値が主走査方向の位置によってばらついていると、読取画像にスジが形成されてしまうなどの影響が表れるためである。このような理由から、この実施例では、原稿の透過率が主走査方向の位置によってばらついてしまうことで黒基準値にもばらつきが生じる写真原稿での外光補正処理の実行は抑止される。
【００３８】
次に図４のステップＳ４０７の外光補正処理の詳細を説明する。
【００３９】
図５は実施例１に従う外光補正処理の詳細を示すフローチャートである。この処理はＣＰＵ１０１がＲＯＭ１０３に格納されているプログラムを実行することによりなされる。
【００４０】
まず、ステップＳ５０１で、ＣＰＵ１０１はイメージセンサ６を原稿下へ移動させ、ステップＳ５０２ではイメージセンサ６に外光があたっている状態で光源を消灯し、黒基準値を取得して黒シェーディング補正を実行する。なお、一部の画像読取装置では原稿のサイズ検知のために、原稿台カバーが開状態時の待機位置が原稿下となることがある。従って、このような場合には、ステップＳ５０１の処理は実行せず、その待機位置で黒基準値を取得する。
【００４１】
その後、ステップＳ５０３では取得した黒基準値を参照して、主走査方向に関して輝度のばらつきを調べる。
【００４２】
図６はイメージセンサ６により取得される主走査方向に関する輝度値の変化を示す図である。この図における輝度値は色成分を考慮せず、単色光、或いは、白色光による輝度値としている。
【００４３】
図６において、（ａ）は文字原稿などを読取った場合の輝度値変化を示している。この場合、輝度値の変化は少なく、原稿を透過した外光がイメージセンサ６に均一に入射していることを示している。これに対して、（ｂ）は読取原稿の一部が写真である場合等の輝度値変化を示している。この場合、写真の濃度（高濃度部）により主走査方向に輝度値が著しく低い部分があり、主走査方向の位置によって輝度値がばらつくことを示している。さらに、（ｃ）は、厚紙や本のような原稿を読取った場合の輝度値変化を示している。この場合、原稿の存在する部分は光がほとんど透過せず輝度値は低く、原稿の端部のみその部分を回り込んで入射してきた光により輝度値が高くなっていることを示している。従って、この場合にも主走査方向の位置によって輝度値がばらつくが、この場合は原稿を透過した光によって輝度値がばらついているわけではなく、原稿の載置箇所の透過率は一様である。
【００４４】
従って、外光がイメージセンサ６に入射している状態で黒基準値を取得すると、外光の状態により黒基準値が図６（ｂ）に示す様に主走査方向の位置によりばらついてしまう。このように輝度値のばらつきが大きい場合、シェーディング補正の結果により読取画像の副走査方向に筋が発生してしまう。
【００４５】
このため、ステップＳ５０３において、輝度値のばらつきが所定以上で大きいと判断された場合、処理はステップＳ５０４に進み、イメージセンサ６を外光の影響を受けない箇所、この実施例では基準白色板の場所に移動する。そして、ステップＳ５０５において、再度、光源を消灯し基準白色板の下での黒基準値を取得（第２の取得手段）し、黒シェーディング補正を実行する（第２の補正手段）。
【００４６】
ただし、ばらつきが発生してしまう場合でも、図６（ｃ）に示すように主走査方向の端部の位置だけ明るい場合は例外とし、この場合は、輝度値のばらつきは少ないとみなし処理はそのまま終了する。
【００４７】
一方、ステップＳ５０３において取得した黒基準値を示す輝度値が図６（ａ）に示すようにばらつきが所定以下で少ないと判断された場合、外光の影響を受けたとしても輝度値ばらつきの影響を受けて読取画像に筋は発生しないと判断し処理はそのまま終了する。従って、ステップＳ５０２で取得した黒基準値を使ってシェーディング補正を実行することになる。このときの所定の値とは、所定以上である場合には外光の影響を受けて読取画像に影響が出てしまうときの値であって、所定以下である場合には外光の影響を受けても読取画像に影響が出ない値を指す。
【００４８】
従って以上説明した実施例では、輝度値のばらつきが大きい場合には、イメージセンサを外光の影響の少ない白色基準板の下に移動し、その場所で黒シェーディング補正を実行して黒基準値を取得することができる。これにより、そのシェーディング補正で外光の影響分だけ画像を暗くし、外光の影響を軽減した良好な読取画像を得ることができる。
【００４９】
また、原稿台カバーが開状態にあるときだけ外光補正処理を実行するため、原稿台カバーが閉状態の場合は、外光補正処理を実行しないことで、原稿読取開始までの時間を短縮することができる。
【実施例２】
【００５０】
ここでは、図５に示す外光補正処理の別の実施例について説明する。ここでは、原稿の一部分にのみ外光が照射されているなど、読取位置により外光状態に差がある場合でも、出力画像を均一の濃度にするための処理について説明する。この実施例では、特に、読取領域を副走査方向に関し複数（Ｎ箇所）の分割領域に分けて、その分割領域ごとに黒基準値を取得する。各分割領域のスキャン画像は、各々の領域で取得した黒基準値を用いてシェーディング補正を実行する。
【００５１】
図７は実施例２に従う外光補正処理の詳細を示すフローチャートである。この処理はＣＰＵ１０１がＲＯＭ１０３に格納されているプログラムを実行することによりなされる。
【００５２】
ステップＳ６０１でＣＰＵ１０１はまずイメージセンサ６を原稿下へ移動する。次に、ステップＳ６０２では各分割領域を示すパラメータｎを“０”に初期化する。さらに、ステップＳ６０３ではイメージセンサ６に外光があたっている状態で黒基準値を取得する。
【００５３】
その後、ステップＳ６０４では、取得した黒基準値に関し、主走査方向に関して得られた輝度値のばらつきを調べる。ここで、そのばらつきが大きいと判断されると処理はステップＳ６０５に進み、イメージセンサ６を外光の影響を受けない箇所に移動させ、ステップＳ６０６では再度黒シェーディングのための黒基準値を取得する。その後、処理はステップＳ６０７に進む。
【００５４】
外光がイメージセンサ６に入射している状態で黒基準値を取得すると、外光の状態により黒基準値が図６（ｂ）に示すように主走査方向に関し、位置によりばらついてしまう。この場合、既に説明したようにシェーディング補正の結果、読取画像に副走査方向に関して筋が形成されてしまうことがある。このため、ステップＳ６０４において黒基準値に関し、主走査方向に関して得られた輝度値のばらつきが所定以上であって大きいと判断された場合は、外光補正は実行しないのである。ただし、輝度値にばらつきが発生してしまう場合でも、図６（ｃ）に示すように主走査方向に関し、端部だけ明るい場合は例外とし、外光補正処理を実行する。
【００５５】
ステップＳ６０４において、取得した黒基準値に関し、主走査方向に関して得られた輝度値のばらつきが図６（ａ）に示すように所定以下で少ない場合、そのばらつきによる読取画像における筋形成のような影響は発生しないと判断する。そして、処理はステップＳ６０７に進み、各分割領域を示すパラメータｎを＋１インクリメントする。さらに、ステップＳ６０８では、インクリメントした値が分割領域の数であるＮ以上となったかどうかを調べる。
【００５６】
ここで、ｎ≧Ｎである場合は全ての分割領域夫々についての黒基準値の取得を終了したと判断し、処理はステップＳ６１１に進む。これに対して、ｎ＜Ｎである場合、処理はステップＳ６０９に進み、イメージセンサ６をパラメータｎによって示される分割領域に移動させる。そして、ステップＳ６１０では移動した分割領域において、イメージセンサ６に外光があたっている状態で黒基準値を取得する。その後、処理はステップＳ６０４に戻る。
【００５７】
以上のような処理を繰り返し、Ｎ個全ての分割領域夫々についての黒基準値を取得し、最後にステップＳ６１１では各々の領域で取得した黒基準値を用いて黒シェーディング補正を実行する。
【００５８】
従って以上説明したように実施例によれば、読取領域を複数の分割領域に分割し、各分割領域で黒基準値を取得するので、黒シェーディング補正は原稿の各分割領域で取得した黒基準値を用いることができる。これにより、読取位置により外光の影響度に差がある場合でも、読取画像を均一の濃度にすることができる。
【００５９】
また、上述した実施例では、画像読取装置を複写機の画像読取部を例として説明したが本発明はこれによって限定されるものではない。例えば、上述の画像読取装置を単機能の装置として独立したスキャナ装置としても良いし、複写機にファクシミリ機能を加えた複合機としても良い。さらには、画像形成部として電子写真方式に従うプリンタエンジンのみならず、インクジェット記録方式を採用したプリンタエンジンを備えた構成の装置であっても良い。
【図１】
2016001804.tif 000003
【図２】
2016001804.tif 000004
【図３】
2016001804.tif 000005
【図４】
2016001804.tif 000006
【図５】
2016001804.tif 000007
【図６】
2016001804.tif 000008
【図７】
2016001804.tif 000009